(57)【特許請求の範囲】
【請求項１】
マイクを内蔵したリモコン本体を覆うカバー部材にマイク孔を設けてなるリモコンにおいて、
前記マイクとマイク孔との間に空間が形成され、この空間に前記マイク孔に付着する水分との接触によって当該水分を前記カバー部材の内側に導入する水分導入部が設けられていることを特徴とするリモコン。
【請求項２】
前記水分導入部は、前記マイク孔に対面する対向面を備えており、この対向面と前記カバー部材の内面との間に形成される隙間を通じて前記マイク孔から導入される水分を排水する構造を有していることを特徴とする請求項１に記載のリモコン。
【請求項３】
前記水分導入部は、前記マイク孔の外側端から内側に後退した位置でマイク孔の孔内に張り出した膨出部と、この膨出部に連続して前記カバー部材の内側に水分を案内する案内部とを有することを特徴とする請求項１に記載のリモコン。
【請求項４】
前記カバー部材は、前記マイク孔が備えられた壁面と異なる壁面に第２のマイク孔が形成されていることを特徴とする請求項１から３のいずれかに記載のリモコン。
【請求項５】
前記マイクとマイク孔との間の空間には、上方からの前記マイクへの水分の侵入を防ぐ庇状のマイク保護部が設けられていることを特徴とする請求項１から４のいずれかに記載のリモコン。
【発明の詳細な説明】
【技術分野】
【０００１】
この発明はリモコンに関し、より詳細には、リモコン本体を覆うカバー部材にマイク孔が形成されたリモコンに関する。
【背景技術】
【０００２】
近時、給湯装置のリモコン（遠隔操作装置）にはインターホン機能を備えたものがあり、それに伴ってマイク（マイクロホン）を内蔵したリモコンが提供されている。このようにマイクを内蔵したリモコンでは、リモコン本体を構成する電子部品等を覆うカバー部材にマイク孔が形成されている。
【０００３】
ところで、給湯装置には浴槽への湯張りや風呂の追い焚きなどの機能を備えたものがあり、そのような風呂機能を備えた給湯装置では浴室にも給湯装置のリモコンが設置されるが、浴室に設置されるリモコンには湯水が掛かることがあるため、単にカバー部材を貫通するマイク孔を設けるだけでは、マイク孔に付着した水分が水膜を形成し、マイクでの集音を妨げることがある。
【０００４】
このようなマイク孔に付着する水膜を除去する構造としては、たとえば特許文献１が提案されている。この特許文献１に示すものは、インターホン用の子機に関して、マイク孔を子機本体のカバー部材の底面部に設けるとともに、このマイク孔の端面の肉厚を薄く形成してマイク孔に形成される水膜の水量を少なくし、さらに、マイク孔の端面から外周に向かっての肉厚を厚く形成し、その傾斜によって雨滴を移動させることで、マイク孔への水膜の形成を防止している。
【先行技術文献】
【特許文献】
【０００５】
【特許文献１】実用新案登録第２５３８０３７号公報
【発明の概要】
【発明が解決しようとする課題】
【０００６】
しかしながら、この特許文献１に示す構造には以下のような問題があり、その改善が望まれていた。
【０００７】
すなわち、特許文献１の構造は、マイク孔をカバー部材の底部に設けることを前提とする構造であるため、マイク孔を底部以外に設けることができない。
【０００８】
特に、浴室に使用されるリモコンはその取付位置などの関係から、マイクが下向きになる構成では音を拾い難くなる場合がある。
【０００９】
また、特許文献１のように、マイク孔の端面から外周に向かって肉厚を厚くする構成では、マイク孔が設けられたケース部材の表面がフラットにならず、見た目にすっきりしたデザインを採用できなくなるという問題もあった。
【００１０】
本発明は、このような問題点に鑑みてなされたものであって、その目的とするところは、水膜によるマイク孔の閉塞を防止しながらマイク孔の位置を自由に設定できる構造を提供することにより、浴室での使用に適したリモコンを提供する。
【課題を解決するための手段】
【００１１】
上記目的を達成するため、本発明の請求項１に記載のリモコンは、マイクを内蔵したリモコン本体を覆うカバー部材にマイク孔を設けてなるリモコンにおいて、上記マイクとマイク孔との間に空間が形成され、この空間に上記マイク孔に付着する水分との接触によって当該水分を上記カバー部材の内側に導入する水分導入部が設けられていることを特徴とする。
【００１２】
すなわち、請求項１に係るリモコンは、マイクとマイク孔との間に形成された空間に設けられる水分導入部をマイク孔に付着する水分と接触させることによって当該水分をカバー部材の内側に導入する構造としているので、マイク孔に形成される水膜は水分導入部によって破られ、その水分はカバー部材の内側に導入される。したがって、マイク孔が水膜によって塞がれることが防止される。
【００１３】
そして、この水分導入部はマイク孔に付着する水分と接触可能な位置にあればよいので、マイク孔を設ける位置が制限されることがなく、集音しやすい位置にマイクを配置することができる。たとえば、リモコン（カバー部材）の左右両側面や正面などの任意の位置にマイク孔を設けることも可能になる。
【００１４】
しかも、水分導入部はマイクとマイク孔との間の空間に配置されるので、マイク孔が設けられるケース部材の表面をフラットにすることができ、外観上もすっきりした意匠を採用することができる。なお、請求項１における「マイクとマイク孔との間に形成される空間」にはマイク孔の内部空間も含んでおり、マイク孔の外側端から水分導入部が外部に突出しない形状のリモコンを提供できる。
【００１５】
本発明の請求項２に記載のリモコンは、請求項１に記載のリモコンにおいて、上記水分導入部が上記マイク孔に対面する対向面を備えており、この対向面と上記カバー部材の内面との間に形成される隙間を通じて上記マイク孔から導入される水分を排水する構造を有していることを特徴とする。
【００１６】
すなわち、この請求項２に係るリモコンは、マイク孔に形成される水膜が表面張力でマイク孔の内側に張り出し、マイク孔に対面する水分導入部の対向面と接触することで破れるようになっている。そして、破れた水膜の水分は、カバー部材の内面と水分導入部の対向面の間の隙間を通って排出される。なお、この排出にあたっては、カバー部材の内面と水分導入部との隙間を狭くしておくことで毛細管現象を利用して水分を排水することができる。
【００１７】
本発明の請求項３に記載のリモコンは、請求項１に記載のリモコンにおいて、上記マイク孔の外側端から内側に後退した位置でマイク孔の孔内に張り出した膨出部と、この膨出部に連続して上記カバー部材の内側に水分を案内する案内部とを有することを特徴とする。
【００１８】
すなわち、この請求項３に係るリモコンは、マイク孔に形成される水膜をマイク孔の外側端から内側に後退した位置でマイク孔の孔内に張り出した膨出部で破り、破れた水膜の水分をこの膨出部に連続してカバー部材の内側に水分を案内する案内部でカバー部材内部に案内するようになっている。
【００１９】
本発明の請求項４に記載のリモコンは、請求項１から３のいずれかに記載のリモコンにおいて、上記カバー部材は、上記マイク孔が備えられた壁面と異なる壁面に第２のマイク孔が形成されていることを特徴とする。
【００２０】
すなわち、この請求項４に係るリモコンは、上記マイク孔が備えられた壁面と異なる壁面に第２のマイク孔が形成されているので、請求項１から３のいずれかの構成によってもなおマイク孔に水膜が形成されてしまった場合でも、この第２のマイク孔を通じてマイクは集音することができる。
【００２１】
また、本発明の請求項５に記載のリモコンは、請求項１から４のいずれかに記載のリモコンにおいて、上記マイクとマイク孔との間の空間には、上方からの上記マイクへの水分の侵入を防ぐ庇状のマイク保護部が設けられていることを特徴とする。
【００２２】
すなわち、この請求項５に係るリモコンでは、マイクとマイク孔との間の空間に上方からのマイクへの水分の侵入を防ぐ庇状のマイク保護部が設けられているので、たとえば、ケース部材の天井面などから水分が侵入しても、その水分は庇状のマイク保護部によってマイクへの侵入が防止され、マイク表面に水膜が形成されることが防止され得る。
【発明の効果】
【００２３】
本発明によれば、マイクを内蔵したリモコン本体を覆うカバー部材にマイク孔を設けてなるリモコンにおいて、上記マイクとマイク孔との間に空間が形成され、この空間に上記マイク孔に付着する水分との接触によって当該水分を上記カバー部材の内側に導入する水分導入部が設けられているので、マイク孔に形成される水膜は水分導入部によって破られてカバー部材の内側に導入されるので、マイク孔が水膜によって塞がれることが防止される。
【００２４】
また、水分導入部はマイク孔に付着する水分と接触可能な位置にあればよいので、この条件を満たす範囲でマイク孔を設ける位置を自由に設定することができ、マイクを集音しやすい位置に配置することができる。
【００２５】
しかも、水分導入部はマイクとマイク孔との間の空間に配置されるので、マイク孔が設けられるケース部材の表面をフラットにすることができ、外観上すっきりした意匠のリモコンを提供できる。
【図面の簡単な説明】
【００２６】
【図１】本発明に係るリモコンの左側面の一例を示す外観図である。
【図２】同リモコンにおけるマイク孔周辺の内部構造の一例を示す部分拡大斜視断面図である。
【図３】同リモコンにおけるカバー部材と水分導入部の位置関係を示す図１のIII−III線に沿って切断した部分拡大端面図である。
【図４】同リモコンにおけるマイク孔と水分導入部の対向面との位置関係の一例を示す説明図であって、図４（ａ）は水分導入部の対向面をマイク孔の高さ方向の全長に配置した場合を、また、図４（ｂ）は水分導入部の対向面をマイク孔の高方向の途中までに配置した場合をそれぞれ示している。
【図５】同リモコンの水分導入部の構造を改変した第２の実施形態を示す説明図であり、図５（ａ）は水分導入部をマイク孔の外側から見た斜視図を、図５（ｂ）はマイク孔の内側から見た斜視図を示している。
【図６】同リモコンの水分導入部を正面パネル側からみた拡大図である。
【図７】同リモコンの第３の実施形態を示す説明図であって、図７（ａ）は第２のマイク孔を示す斜視図であり、図７（ｂ）はマイク保護部の構成を示すマイク周辺の断面拡大図である。
【発明を実施するための形態】
【００２７】
以下、本発明の実施形態を図面に基づいて詳細に説明する。
実施形態１
本発明に係るリモコンは、主として、浴室などのいわゆる水回りでの使用に適したリモコンであって、図１は本発明を適用した給湯装置（図示せず）の浴室用のリモコンの外観を示している。
【００２８】
このリモコン１は、給湯装置の遠隔操作装置としての機能を実現するための各種電子部品で構成されたリモコン本体２（図２参照）をカバー部材３で覆うことによって構成されている。
【００２９】
リモコン本体２の具体的な構成は公知であるのでその詳細な説明は省略するが、リモコン本体２には、リモコン１の制御中枢を構成するマイコン、液晶表示器などの各種表示デバイス、音声や警報音を出力するスピーカ、各種操作スイッチを構成するスイッチ類、電源装置などが備えられている。これらリモコン本体２を構成する各種電子部品は、図示しないプリント基板や部品ホルダなど、電子部品を所定位置に配置させる部品保持部材４に取り付けられており、この部品保持部材４を介して（あるいは部品によっては部品保持部材４を介することなく直接に）カバー部材３に取り付けられている。
【００３０】
そして、このリモコン本体２には、リモコン１が備えるインターホン機能を実現するためのマイク（マイクロホン）５が内蔵されている。マイク５は、図２に示すように、部品保持部材４にマイク５を保持するために形成されたマイクホルダ部４ａに装着されるようになっており、マイクホルダ部４ａには、後述するマイク孔９を通してカバー部材３内に入ってくる音をマイク５に届けるための導音孔４ｂが貫通して形成されている。なお、この導音孔４ｂの先端には導音孔４ｂへの水滴等の侵入を防ぐはっ水シート１０が貼付されている。
【００３１】
上記マイクホルダ部４ａは、リモコン本体２をカバー部材３に収容したときに、マイク５（具体的には、導音孔４ｂの先端）がカバー部材３の内面に一定の間隔を空けて対面するように設けられており、これによってマイク５とカバー部材３（後述するマイク孔９）との間に空間Ａが形成されるようになっている。本実施形態では、このマイクホルダ部４ａは、カバー部材３内において、マイク５がリモコン１の左側面の下端付近に配置されるように構成されている。
【００３２】
カバー部材３は、リモコン本体２を内部に収容する略箱状のケースを構成するものであって、主としてリモコン１の背面１ｅを構成するケース本体６と、このケース本体６に装着されて主としてリモコン１の上面１ｂ、底面１ｃ、左側面１ｄおよび右側面（図示せず）を構成するケース枠体７と、このケース枠体６に装着されて主としてリモコン１の正面１ａを構成する正面パネル８とを主要部として構成されている。なお、これらケース本体６、ケース枠体７、正面パネル８は、いずれもその主要部分がそれぞれ樹脂による一体成型品とされている。
【００３３】
そして、このカバー部材３内に上記リモコン本体２が収容されることによって、リモコン１の正面パネル８の所定位置に液晶表示器などの表示デバイスや操作スイッチを構成するスイッチ類などが露出して配置されるようになっている。
【００３４】
また、本実施形態では、上述したように、リモコン本体２にはマイク５が内蔵されることから、リモコン１のカバー部材３においてこのマイク５に対面する位置、すなわち、上記ケース枠体７においてリモコン１の左側面１ｄを構成するパネルのマイク５に対面する位置には該パネルを貫通するマイク孔９が形成されている。このマイク孔９として、本実施形態では、図１に示すように、上下に細長い略長方形状の貫通孔を採用しているが、マイク孔９の開口形状は適宜変更可能である。たとえば、マイク孔９として正方形や円形の貫通孔を採用することもできる。
【００３５】
そして、このように構成されるリモコン１において、本発明では、上記マイク孔９に水膜が形成されるのを防止するために、マイク孔９とマイク５との間に形成される空間Ａに、マイク孔９に付着する水分（特に、マイク孔９に形成される水膜）との接触によって当該水分（特に、接触によって破られる水膜の水分）をカバー部材３の内側に導入する水分導入部１１を設けている。
【００３６】
この水分導入部１１は、上記空間Ａにおいて、マイク孔９に対面する対向面１１ａを備えて構成されている。具体的には、この水分導入部１１は、図２および図３に示すように、ケース本体６から起立して設けられる板状の部材１２で構成されており、この板状の部材１２の一方の面が上記対向面１１ａとされ、この対向面１１ａがマイク孔９（カバー部材３）と一定の距離Ｌを隔てるように配設されている。
【００３７】
すなわち、この対向面１１ａは、カバー部材３の内面、つまり、本実施形態ではリモコン１の左側面１ｄを構成するパネルの内壁面７ａから距離Ｌだけ内側に後退した位置に配設されている。この距離Ｌは短く（たとえば、数ｍｍ程度に）設定されており、カバー部材３の内壁面７ａと対向面１１ａとの間には間隔の狭い隙間Ｂが形成されるようになっている。なお、この板状の部材１２は、ケース本体６と一体に成型されている。
【００３８】
また、この対向面１１ａは、マイク孔９との関係では、マイク孔９と部分的に対面するように配設されている。図４は、マイク孔９と対向面１１ａとの位置関係の一例を示している。この図４に示すように、対向面１１ａは、少なくとも、マイク孔９の巾方向（紙面の左右方向）においてマイク孔９と対向面１１ａとが完全に重ならないようにマイク孔９と左右方向の位置をずらして配置される（図４（ａ），（ｂ）参照）。一方、その高さ方向（紙面の上下方向）については少なくともマイク孔９の下方部分が対向面１１ａと重なるように配置されていればよく、高さ方向の全長に対向面１１ａが重なる構成（図４（ａ）参照）や、高さ方向の一部だけが対向面１１ａと重なる構成（図４（ｂ）参照）としてもよい。
【００３９】
このように、水分導入部１１の対向面１１ａが上記マイク孔９（カバー部材３）の巾方向に位置をずらして、かつ、マイク孔９に近い位置に配置されることにより、リモコン１に水が掛かるなどしてマイク孔９に水膜Ｗ（図３参照）が形成されると、当該水膜Ｗはその表面張力によって膨らんだ部分が上記対向面１１ａと接触し、その結果、水膜Ｗが破れるようになる。
【００４０】
そして、破れた水膜Ｗの水分（およびマイク孔９に流れ込んだ水滴など）は、毛細管現象によってカバー部材３と対向面１１ａとの間に形成される隙間Ｂに導入され、隙間Ｂの下方に排出される。つまり、上記隙間Ｂはマイク孔９に流れ込んだ水分の排出経路を構成するようになっている。
【００４１】
なお、この隙間Ｂの下方には、該隙間Ｂに連通する部位にケース部材３を貫通する排出孔などの排出部（図示せず）が形成されており、ケース部材３の内側に入った水分はこの排出部から外部に排出される。
【００４２】
このように、本実施形態のリモコン１では、マイク５とマイク孔９との間に形成された空間Ａに、マイク孔９に付着する水分との接触によって当該水分をカバー部材３の内側に導入する水分導入部１１が備えられているので、マイク孔９に水膜Ｗが形成されるのを防止でき、マイク５で音を拾い難くなることが回避される。
【００４３】
実施形態２
次に、本発明の第２の実施形態を図５および図６に基づいて説明する。
この第２の実施形態に示すリモコン１は、上述した第１の実施形態における水分導入部１１の構造を改変したものであって、その他の構成は第１の実施形態と共通する。したがって、以下の説明では第１の実施形態と構成が共通する部分には同一の符号を付して説明は省略する。
【００４４】
この第２の実施形態に示すリモコン１の水分導入部１１′は、図５および図６に示すように、マイク孔９の外側端から内側に後退した位置でマイク孔９の孔内に張り出して形成された膨出部１３と、この膨出部１３に連続してカバー部材３の内側に水分を案内する案内部１４とで構成されている。
【００４５】
上記膨出部１３は、マイク孔９に形成される水膜Ｗと接触することによって該水膜Ｗを破る働きをする部位であって、マイク孔９の内側下面からマイク孔９の孔内中央に向かって突出して設けられる。この膨出部１３の形状としては、破れた水膜Ｗの水分を下方に案内し易い形状（たとえば、先端（上端）が細く、基端（下端）が広い形状）が好ましく、本実施形態では図５に示すような略四角錐状を採用している。なお、この膨出部１３の形状は適宜変更可能であり、たとえば、略円錐形や略三角錐形などの他の形状を採用してもよい。
【００４６】
また、この膨出部１３は、その基端部がマイク孔９の外側端から内側にやや後退した位置となるように配置されている。これは、膨出部１３の基端部をマイク孔９の外側端に近づけると膨出部１３を取り込んだ形で水膜Ｗが形成されるおそれがあるからである。
【００４７】
上記案内部１４は、膨出部１３によって破られた水膜Ｗの水分（およびマイク孔９に流れ込んだ水滴など）がカバー部材３の内側に流れ込むように案内する働きをする部位であって、この案内部１４は上記膨出部１３に連続する傾斜面１４ａを備えて構成される。この傾斜面１４ａは、カバー部材３の内側に突出するすそ広がりの形態とされる。本実施形態では、上記膨出部１３が略四角錐形に形成されているので、この傾斜面１４ａは図５（ｂ）に示すように３面設けられている。なお、本実施形態では、上記膨出部１３および案内部１４は、ケース枠体７と一体に成型されている。
【００４８】
このように水分導入部１１′が構成されることにより、本実施形態に示すリモコン１では、リモコン１に水が掛かるなどしてマイク孔９に水膜Ｗが形成されると、当該水膜Ｗは水分導入部１１′の膨出部１３と接触して破られ、破れた水膜Ｗの水分（およびマイク孔９に流れ込んだ水滴など）は膨出部１３に連続する案内部１４を伝ってカバー部材３の内側に導入される。
【００４９】
なお、本実施形態においても、上記案内部１４の下方位置にはケース部材３を貫通する排出孔などの排出部（図示せず）が形成されており、ケース部材３の内側に入った水分はこの排出部を通じて外部に排出される。
【００５０】
実施形態３
次に、本発明の第３の実施形態を図７に基づいて説明する。
この第３の実施形態に示すリモコン１は、上述した第１および第２の実施形態に示すリモコン１の改変例を示すものであって、改変部分以外の構成は第１および第２の実施形態と共通する。したがって、以下の説明では第１および第２の実施形態と構成が共通する部分には同一の符号を付して説明は省略する。
【００５１】
この第３の実施形態に示すリモコン１では、上述した第１および第２の実施形態に示すリモコン１に対して２点の改変を加えている。まず、第１の改変は、水分導入部１１，１１′の存在にもかかわらずマイク孔９に水膜Ｗが形成されてしまった場合の対策であり、この対策として、本実施形態のリモコン１では、カバー部材３において、マイク孔９が備えられた壁面（パネル）とは異なる壁面に第２のマイク孔１５を形成している。
【００５２】
この第２のマイク孔１５は、マイク孔９が水膜Ｗで塞がれたときのための予備のマイク孔を構成するものであって、マイク孔９に近い壁面（マイク５に近い壁面）に設けられる。上述した第１および第２の実施形態ではマイク孔９がリモコン１の左側面１ｄに設けられているので、本実施形態ではこの第２のマイク孔１５を、図７（ａ）に示すように、ケース枠体７においてリモコン１の底面１ｃを構成するパネル（壁面）を貫通して形成させている。
【００５３】
このように、第２のマイク孔１５を設ける構成を採用する場合、第２のマイク孔１５からマイク５までの間には、第２のマイク孔１５から入った音声がマイク５に届き易くなるようにリモコン本体２には音声伝搬用の空間Ｃを設けておくのが望ましい。
【００５４】
なお、この第２のマイク孔１５をリモコン１の底面１ｃに設けることにより、この第２のマイク孔１５を上述したカバー部材３内に入った水分の排出部として使用することができるようになる。
【００５５】
次に、第２の改変は、カバー部材３の上面１ｂのつなぎ目などからカバー部材３内に侵入する水滴などがマイク５に付着すること（はっすいシート１０に水膜が形成されること）の対策であり、この対策として、本実施形態のリモコン１では、マイク５とマイク孔９との間の空間Ａに、上方からのマイク５への水分の侵入を防ぐ庇状のマイク保護部１６を設けている。
【００５６】
具体的には、本実施形態では、上方からマイク５に滴り落ちる水滴への対策として、図７（ｂ）に示すように、マイクホルダ部４ａの上方に部品保持部材４の一部を延設してなる板状のマイク保護部１６を形成している。このマイク保護部１６は、上方から滴り落ちる水滴を受け止めて当該水滴がマイク５（具体的には、マイクホルダ部４ａの導音孔４ｂ）に水滴が掛からないようにするためのものであって、このマイク保護部１６の先端とカバー部材３の内面との間にはわずかな間隙Ｄが形成されるようになっており、マイク保護部１６で受け止めた水滴の水分はこの間隙Ｄから下方に落下するようになっている。
【００５７】
これにより、カバー部材３の上面１ｂのつなぎ目などからカバー部材３内に侵入する水滴などによってマイク５が音を拾いづらくなることが防止される。
【００５８】
なお、この第１の改変および第２の改変は、いずれも上述した第１および第２の実施形態に示すリモコン１の双方に適用することができ、また、第１および第２の改変の一方のみを選択して適用することも可能である。
【００５９】
なお、上述した実施形態は本発明の好適な実施態様を示すものであって、本発明はこれらに限定されることなく発明の範囲内で種々の設計変更が可能である。
【００６０】
たとえば、上述した実施形態では、このマイク孔９をリモコン１の左側面の下端付近に配置した場合を示したが、マイク孔９の高さ位置は適宜変更可能であることはもちろん、マイク孔９を設ける面も適宜変更可能である。
【００６１】
また、上述した実施形態３では、第２のマイク孔１５をリモコン１の底面１ｃに設けた場合を示したが、たとえば、リモコン１の正面１ａ（正面パネル８）に設けることも可能である。
【００６２】
さらに、上述した実施形態では、本発明を給湯装置の浴室用のリモコンに適用した場合を示したが、本発明は台所用のリモコンにも適用可能であるほか、給湯装置以外のリモコンにももちろん適用可能である。
【符号の説明】
【００６３】
１                  リモコン
２                  リモコン本体
３                  カバー部材
４                  部品保持部材
５                  マイク
６                  ケース本体
７                  ケース枠体
８                  正面パネル
９                  マイク孔
１１，１１′        水分導入部
１１ａ              対向面
１３                膨出部
１４                案内部
１５                第２のマイク孔
１６                マイク保護部
Ａ                  マイクとマイク孔の間の空間
【図１】
0005796485.tif 000002
【図２】
0005796485.tif 000003
【図３】
0005796485.tif 000004
【図４】
0005796485.tif 000005
【図５】
0005796485.tif 000006
【図６】
0005796485.tif 000007
【図７】
0005796485.tif 000008